(57)【要約】【課題】待ち客数に応じたサービスを行うことのできる群管理エレベータの提供。【解決手段】各階床のエレベータの乗場１に、乗場呼びを登録する複数の乗場呼び釦２、３、および乗場呼びが登録されたことを報知する応答灯４〜６を備え、乗場呼びに応じて複数のエレベータＡ〜Ｃからサービスを実施する所定のエレベータを選択して割付ける群管理エレベータにおいて、乗場１に設けられエレベータの待ち客数を検出する乗客検出手段７〜９と、乗場呼び登録に応じ、乗客検出手段７〜９により待ち客数を判定し、かつ待ち客数に応じて該乗場呼び登録階床に割付けるエレベータ数を判断する割付け手段、例えばＭＰＵ１０を備えている。【選択図】図１
2006232446.tif 000002
【特許請求の範囲】
【請求項１】
各階床のエレベータの乗場に、乗場呼びを登録する複数の乗場呼び釦、および前記乗場呼びが登録されたことを報知する応答灯を備え、前記乗場呼びに応じて複数のエレベータからサービスを実施する所定のエレベータを選択して割付ける群管理エレベータにおいて、
前記乗場に設けられエレベータの待ち客数を検出する乗客検出手段と、前記乗場呼び登録に応じ、前記乗客検出手段により待ち客数を判定し、かつ待ち客数に応じて該乗場呼び登録階床に割付けるエレベータ数を判断する割付け手段を備えたことを特徴とする群管理エレベータ。
【請求項２】
前記乗客検出手段は、エレベータ毎に設けられるとともに、前記割付け手段は、待ち客数が多いエレベータを優先して前記乗場呼び登録階床に割付けることを特徴とする請求項１記載の群管理エレベータ。
【請求項３】
前記応答灯は、乗場呼び登録階床に割付けられた複数のエレベータのサービス完了時まで連続点灯することを特徴とする請求項１記載の群管理エレベータ。
【発明の詳細な説明】
【技術分野】
【０００１】
本発明は、複数のエレベータから乗場呼び登録階床にサービスを実施する所定のエレベータを選択して割付ける群管理エレベータに関する。
【背景技術】
【０００２】
この種の従来技術として、従来、例えば３台のエレベータによりサービスを行う群管理エレベータの場合、１台を建物の中間階床に待機させるとともに、１台を乗捨てし、かつ１台をエレベータの利用頻度の高い出入口階床で待機させるようにしたものがある。
【発明の開示】
【発明が解決しようとする課題】
【０００３】
しかしながら、前述した群管理エレベータの場合、乗場呼び登録に応じ、乗場呼び登録階床に１台のエレベータを割付けることから、該乗場呼び登録階床に１台のエレベータの定員を超える待ち客がいる場合、割付けられたエレベータに乗り込むことのできなかった待ち客は再び乗場呼び釦を操作して乗場呼び登録を行う必要があり、焦燥感を与えるという問題があった。
【０００４】
本発明は、前述した従来技術における実状からなされたもので、その目的は、待ち客数に応じたサービスを行うことのできる群管理エレベータを提供することにある。
【課題を解決するための手段】
【０００５】
前記目的を達成するために、本発明の請求項１に係る発明は、各階床のエレベータの乗場に、乗場呼びを登録する複数の乗場呼び釦、および前記乗場呼びが登録されたことを報知する応答灯を備え、前記乗場呼びに応じて複数のエレベータからサービスを実施する所定のエレベータを選択して割付ける群管理エレベータにおいて、前記乗場に設けられエレベータの待ち客数を検出する乗客検出手段と、前記乗場呼び登録に応じ、前記乗客検出手段により待ち客数を判定し、かつ待ち客数に応じて該乗場呼び登録階床に割付けるエレベータ数を判断する割付け手段を備えたことを特徴としている。
【０００６】
このように構成した本発明の請求項１に係る発明は、乗場呼び釦が操作されて乗場呼び登録されると、割付け手段は、乗客検出手段により待ち客数を判定するとともに、待ち客数が１台のエレベータの定員未満であるときは１台のエレベータを該乗場呼び登録階床に割付け、一方、待ち客数が１台のエレベータの定員以上であるときは、待ち客数に応じた台数のエレベータを割付ける。これによって、エレベータの待ち客数に応じた効率の良いサービスを行うことができる。
【０００７】
また、本発明の請求項２に係る発明は、前記乗客検出手段は、エレベータ毎に設けられるとともに、前記割付け手段は、待ち客数が多いエレベータを優先して前記乗場呼び登録階床に割付けることを特徴としている。
【０００８】
このように構成した本発明の請求項２に係る発明は、割付け手段は、乗場呼び登録時に、エレベータ毎に設けられた乗客検出手段を介してどのエレベータの乗場に待ち客数が多いかを判断し、該エレベータを優先して乗場呼び登録階床に割付ける。これによって、円滑なエレベータへの乗込みを促進することができる。
【０００９】
さらに、本発明の請求項３に係る発明は、前記応答灯は、乗場呼び登録階床に割付けられた複数のエレベータのサービス完了時まで連続点灯することを特徴としている。
【００１０】
このように構成した本発明の請求項３に係る発明は、割付け手段が１台のエレベータの定員以上の待ち客を判断し複数のエレベータを乗場呼び登録階床に割付けたとき、乗場呼び登録階床の応答灯は、乗場呼び登録時から全てのエレベータのサービス完了時まで連続点灯する。これによって、乗場呼び登録階床に複数のエレベータが時間差で到着する場合であっても、乗場の待ち客は他のエレベータが該乗場呼び登録階床に登録済みであることを把握することができ、したがって、待ち客が繰り返し乗場呼び釦を操作するという不快感の伴う事態を防ぐことができる。
【発明の効果】
【００１１】
本発明は、エレベータの待ち客数に応じて乗場呼び登録階床に割付けるエレベータ数を判断することから、効率の良いサービスを実現し乗場での待ち時間の短縮を図ることができる。
【００１２】
また、応答灯は、乗場呼び登録階床に割付けられた複数のエレベータのサービス完了時まで連続点灯することから、乗場呼び登録階床に複数のエレベータが時間差で到着する場合であっても、乗場の待ち客は他のエレベータが該乗場呼び登録階床に登録済みであることを把握することができ、したがって、待ち客が繰り返し乗場呼び釦を操作するという不快感の伴う事態を防ぐことができる。
【発明を実施するための最良の形態】
【００１３】
以下、本発明に係る群管理エレベータの実施の形態を図に基づいて説明する。
【００１４】
図１は本発明の群管理エレベータの一実施形態を示す斜視図、図２は群管理エレベータの処理手順を示すフローチャートである。
【００１５】
例えば３台のエレベータ、すなわち１号機エレベータＡ、２号機エレベータＢおよび３号機エレベータＣによりサービスを行う本実施形態の群管理エレベータは図１に示すように、エレベータの乗場１に設けられ乗場呼びを登録する複数の乗場呼び釦２、３と、乗場１に設けられ乗場呼びが登録されたことを報知する応答灯４、５、６と、乗場１にあってエレベータ毎に設けられ、エレベータの待ち客数を検出する乗客検出手段７、８、９と、乗場呼び登録に応じ、乗客検出手段７〜９により待ち客数を判定し、かつ待ち客数に応じて該乗場呼び登録階床に割付けるエレベータ数を判断する割付け手段、例えばＭＰＵ１０とを備えている。
【００１６】
また、前述した乗客検出手段７には、待ち客が位置したときに検出信号を出力する複数の検出体、例えばこの例では６つの検出体７ａ〜７ｆが設けられている。なお、同様の検出体は他の乗客検出手段８、９にもそれぞれ設けられている。
【００１７】
このように構成した本実施形態の群管理エレベータあっては、図２に示すように例えば乗場呼び釦２が操作されると、手順Ｓ１として乗場呼びが登録されるとともに応答灯４〜６が点灯する。そして、ＭＰＵ１０は、手順Ｓ２として乗客検出手段７〜９を介して待ち客数が１台のエレベータの定員未満かどうかを判断し、このとき待ち客数が１台のエレベータの定員未満であることを判断すると、手順Ｓ３に示すように乗客検出手段７〜９を介してどのエレベータの乗場に待ち客数が多いかを判断し、例えば待ち客の多い１号機エレベータＡを乗場呼び登録階床に割付ける。この後、１号機エレベータＡが乗場呼び登録階床に到着すると手順Ｓ４に示すように応答灯４〜６が消灯する。
【００１８】
また、前述した手順Ｓ２で待ち客数が１台のエレベータの定員以上であることが判断されると、ＭＰＵ１０は手順Ｓ５として待ち客が２台のエレベータの定員未満かどうかを判断し、このとき待ち客数が２台のエレベータの定員未満であることを判断すると、手順Ｓ６に示すように乗客検出手段７〜９を介してどのエレベータの乗場に待ち客数が多いかを判断し、例えば待ち客の多い１号機エレベータＡおよび２号機エレベータＢを乗場呼び登録階床に割付ける。この後、１号機エレベータＡおよび２号機エレベータＢのそれぞれが乗場呼び登録階床に到着すると手順Ｓ７に示すように応答灯４〜６が消灯する。
【００１９】
さらに、前述した手順Ｓ５で待ち客数が２台のエレベータの定員未満でないこと、すなわち２台のエレベータの定員以上であることが判断されると、ＭＰＵ１０は手順Ｓ８に示すように１号機エレベータＡ、２号機エレベータＢおよび３号機エレベータＣを乗場呼び登録階床に割付ける。この後、１号機エレベータＡ、２号機エレベータＢおよび３号機エレベータＣのそれぞれが乗場呼び登録階床に到着すると手順Ｓ９に示すように応答灯４〜６が消灯する。
【００２０】
本実施形態によれば、エレベータの待ち客数に応じて乗場呼び登録階床に割付けるエレベータ数を判断することから、効率の良いサービスを実現し乗場１での待ち時間の短縮を図ることができる。また、待ち客数が多いエレベータを優先して乗場呼び登録階床に割付けることから、円滑なエレベータへの乗込みを促進することができる。さらに、応答灯４〜６は、乗場呼び登録階床に割付けられた複数のエレベータのサービス完了時まで連続点灯することから、乗場呼び登録階床に複数のエレベータが時間差で到着する場合であっても、乗場１の待ち客は他のエレベータが該乗場呼び登録階床に登録済みであることを把握することができ、したがって、待ち客が繰り返し乗場呼び釦を操作するという不快感の伴う事態を防ぐことができる。
【００２１】
なお、本実施形態では１号機エレベータＡ、２号機エレベータＢおよび３号機エレベータＣの３台の群管理エレベータを例として説明しているが、本発明はこれに限られるものでない。また、前述した乗客検出手段７〜９として本実施形態は待ち客数を検知するものとして説明したが、本発明はこれに限らず乗場の待ち客の荷重を検出し、この検出荷重に基づき待ち客数を判断するようにしてもよい。
【図面の簡単な説明】
【００２２】
【図１】本発明の群管理エレベータの一実施形態を示す斜視図である。
【図２】群管理エレベータの処理手順を示すフローチャートである。
【符号の説明】
【００２３】
１  乗場
２、３ 乗場呼び釦
４、５、６ 応答灯
７、８、９ 乗客検出手段
７ａ〜７ｆ  検出体
１０  ＭＰＵ
【図１】
2006232446.tif 000003
【図２】
2006232446.tif 000004